(57)【要約】    【課題】  消費者自身が橙、扇などを取り付ける必要がなく、見映え良く橙や扇が取り付けられた状態で化粧箱から取り出してそのまま飾ることができる、包装お供え餅を提供する。    【解決手段】  お供え餅の外観を有する合成樹脂製の包装体１と、みかんの外観を有する合成樹脂製の橙３と、扇４とを備えた包装お供え餅であって、橙３と扇４とを包装体１の上部に支持する透明な合成樹脂製の支持具５を備えた。消費者自身が橙３、扇４などを取り付ける必要がなく、見映え良く橙３や扇４が取り付けられた状態で化粧箱から取り出してそのまま飾ることができる。支持具５が透明であることから、支持具５によって美観を損ねることがない。    【選択図】  図１
0003115687.tif 000002
【実用新案登録請求の範囲】
【請求項１】
お供え餅の外観を有する合成樹脂製の包装体と、みかんの外観を有する合成樹脂製の橙と、扇とを備えた包装お供え餅であって、前記橙と前記扇とを前記包装体の上部に支持する透明な合成樹脂製の支持具を備えたことを特徴とする包装お供え餅。
【請求項２】
前記支持具は透明な合成樹脂板を折り曲げて形成されたことを特徴とする請求項１記載の包装お供え餅。
【請求項３】
前記橙の上部にはみかんの枝の外観を有する突出部が設けられ、前記支持具にはこの突出部が係合する係合孔と、前記橙の側面に当接する折返し部が形成されたことを特徴とする請求項１又は２記載の包装お供え餅。
【請求項４】
前記扇の下部には支持棒が設けられ、前記支持具にはこの支持棒が挿通される挿通孔と、前記扇の下面を支持する支持部が形成されたことを特徴とする請求項１〜３のいずれか１項記載の包装お供え餅。
【請求項５】
前記支持具は前記包装体の頂部に接着固定されたことを特徴とする請求項１〜４のいずれか１項記載の包装お供え餅。
【請求項６】
前記支持具には下方に延出する脚部が設けられ、この脚部は水引を固定するゴム紐によって前記包装体の側部に固定されたことを特徴とする請求項１〜５のいずれか１項記載の包装お供え餅。
【考案の詳細な説明】
【技術分野】
【０００１】
本考案は、包装お供え餅に関する。
【背景技術】
【０００２】
従来の包装お供え餅は、お供え餅の外観を有し内部に餅が収容される合成樹脂製の包装体と、その飾りとして、みかんの外観を有する合成樹脂製の橙、扇、三方、御幣、宝船などを一揃えにして化粧箱に入れた状態で販売されていた。そして、これを購入した消費者は、化粧箱から包装体、橙、扇、三方、御幣、宝船などを取り出し、自分で包装体に橙、扇などを取り付けて飾るようになっていた。
【０００３】
しかしながら、消費者自身が橙、扇などを取り付けるのは面倒であり、特に扇は安定性が悪く、これを見映え良く安定した状態で飾り付けるのは面倒であった。
【考案の開示】
【考案が解決しようとする課題】
【０００４】
本考案は、上記の欠点を克服し、消費者自身が橙、扇などを取り付ける必要がなく、見映え良く橙や扇が取り付けられた状態で化粧箱から取り出してそのまま飾ることができる、包装お供え餅を提供することを目的とする。
【課題を解決するための手段】
【０００５】
本考案の請求項１記載の包装お供え餅は、お供え餅の外観を有する合成樹脂製の包装体と、みかんの外観を有する合成樹脂製の橙と、扇とを備えた包装お供え餅であって、前記橙と前記扇とを前記包装体の上部に支持する透明な合成樹脂製の支持具を備えたことを特徴とする。
【０００６】
本考案の請求項２記載の包装お供え餅は、請求項１において、前記支持具は透明な合成樹脂板を折り曲げて形成されたことを特徴とする。
【０００７】
本考案の請求項３記載の包装お供え餅は、請求項１又は２において、前記橙の上部にはみかんの枝の外観を有する突出部が設けられ、前記支持具にはこの突出部が係合する係合孔と、前記橙の側面に当接する折返し部が形成されたことを特徴とする。
【０００８】
本考案の請求項４記載の包装お供え餅は、請求項１〜３のいずれか１項において、前記扇の下部には支持棒が設けられ、前記支持具にはこの支持棒が挿通される挿通孔と、前記扇の下面を支持する支持部が形成されたことを特徴とする。
【０００９】
本考案の請求項５記載の包装お供え餅は、請求項１〜４のいずれか１項において、前記支持具は前記包装体の頂部に接着固定されたことを特徴とする。
【００１０】
本考案の請求項６記載の包装お供え餅は、請求項１〜５のいずれか１項において、前記支持具には下方に延出する脚部が設けられ、この脚部は水引を固定するゴム紐によって前記包装体の側部に固定されたことを特徴とする。
【考案の効果】
【００１１】
本考案の請求項１記載の包装お供え餅によれば、橙と扇とを包装体の上部に支持する透明な合成樹脂製の支持具を備えたことにより、消費者自身が橙、扇などを取り付ける必要がなく、見映え良く橙や扇が取り付けられた状態で化粧箱から取り出してそのまま飾ることができる。また、支持具が透明であることから、支持具によって美観を損ねることがない。
【００１２】
本考案の請求項２記載の包装お供え餅によれば、支持具は透明な合成樹脂板を折り曲げて形成されたことにより、支持具の製造を簡単にし、見映えの良いお供え餅を安価に提供することができる。
【００１３】
本考案の請求項３記載の包装お供え餅によれば、橙の上部にはみかんの枝の外観を有する突出部が設けられ、支持具にはこの突出部が係合する係合孔と、橙の側面に当接する折返し部が形成されたことにより、支持具から橙が脱落することを確実に防止することができる。
【００１４】
本考案の請求項４記載の包装お供え餅によれば、扇の下部には支持棒が設けられ、支持具にはこの支持棒が挿通される挿通孔と、前記扇の下面を支持する支持部が形成されたことにより、扇を安定した状態で飾り付けることができる。
【００１５】
本考案の請求項５記載の包装お供え餅によれば、支持具は包装体の頂部に接着固定されたことにより、簡単に支持具を固定することができる。
【００１６】
本考案の請求項６記載の包装お供え餅によれば、支持具には下方に延出する脚部が設けられ、この脚部は水引を固定するゴム紐によって包装体の側部に固定されたことにより、支持具の下方においても支持具を固定して、より安定した状態で橙と扇を飾り付けることができる。
【考案を実施するための最良の形態】
【００１７】
以下、本考案における好ましい実施例について、添付図面を参照しながら説明する。
【実施例１】
【００１８】
１は包装体であって、丸餅を２段重ねたお供え餅の外観を有するとともに、中空の合成樹脂製であって、内部には餅が収容されている。包装体１の下部には鍔部２が形成されている。この鍔部２は、容器状の包装体１の底面を図示しない合成樹脂製のフィルムで閉塞するために形成されているものである。
【００１９】
包装体１の上部には、みかんの外観を有する合成樹脂製の橙３と、紙製の扇４が、透明な合成樹脂製の支持具５によって支持されている。支持具５は、透明な合成樹脂板を折り曲げて箱状に形成されており、その前方の内部に橙３が収容され、後方の上部には扇４が固定されている。
【００２０】
橙３の上部には、みかんの枝の外観を有する突出部６が橙３と一体に設けられており、支持具５の前方の上面には、この突出部６が差し込まれて係合する係合孔７が形成されている。また、支持具５の下面には、支持具５を構成する合成樹脂板の一部にコ字状の切込みを入れて上方に略垂直に折返すことで、橙３の後方の側面に当接する折返し部８が形成されている。さらに、支持具５の前方には、橙３の大きさよりもやや小さい楕円状の切り欠きからなる窓部９が形成されており、この窓部９に橙３の前方の側面が係合するようになっている。このように、橙３は、支持具５に形成された係合孔７、折返し部８、窓部９によって、支持具５に確実に支持、固定されるようになっている。
【００２１】
扇４の下部には、棒状に形成された支持棒10が扇４と一体に設けられており、支持具５の後方の上面と下面にはそれぞれ、支持棒10が挿通される第１の挿通孔11と第２の挿通孔12が形成されている。また、支持具５の後方には、支持具５の上面から左右に延出して扇４の下面を支持する支持部13が形成されている。この支持部13は、上方と前方を開放して断面がＬ字状に形成されており、扇４の下面の位置が前後方向にずれないように、後方から扇４を押さえるようになっている。このように、扇４は、支持具５に形成された第１の挿通孔11、第２の挿通孔12、支持部13によって、支持具５に確実に支持、固定されるようになっている。
【００２２】
支持具５は、橙３が収容されている位置の下方において、包装体１の頂部に両面テープで接着固定されている。また、支持具５の後方には、下方に延出して脚部14が設けられており、この脚部14は、水引15を包装体１の中央のくびれた部分に固定するゴム紐16によって、包装体１の側部に固定されている。このように、支持具５は、包装体１の頂部と側部の２箇所において固定されることによって、安定した状態で橙３と扇４を支持することができるようになっている。
【００２３】
このほか、包装体１の下方には、包装体１を載置する台としての紙製の三方17が設けられ、また、紙製の飾りとして、四方が紅で縁取られた敷紙18、葉を模った裏白19、御幣20、宝船21が設けられている。
【００２４】
図４に、化粧箱22に収容された状態の本実施例の包装お供え餅を示す。化粧箱22は前方と上方に開放した窓部23が形成され、化粧箱22に収容された包装お供え餅が外から見えるようになっている。また、窓部23には、透明なプラスチックフィルム24が設けられている。
【００２５】
包装お供え餅は、化粧箱22に収容された状態においても、橙３と扇４が支持具５によって包装体１の上部に飾り付けられている。なお、三方17、敷紙18、裏白19、御幣20、宝船21は、折り畳まれた状態で化粧箱22の底部に収容されている。
【００２６】
以上のように、本実施例の包装お供え餅によれば、お供え餅の外観を有する合成樹脂製の包装体１と、みかんの外観を有する合成樹脂製の橙３と、扇４とを備えた包装お供え餅であって、前記橙３と前記扇４とを前記包装体１の上部に支持する透明な合成樹脂製の支持具５を備えたことにより、消費者自身が橙３、扇４などを取り付ける必要がなく、見映え良く橙３や扇４が取り付けられた状態で化粧箱22から取り出してそのまま飾ることができる。また、支持具５が透明であることから、支持具５によって美観を損ねることがない。
【００２７】
また、前記支持具５は透明な合成樹脂板を折り曲げて形成されたことにより、支持具５の製造を簡単にし、見映えの良いお供え餅を安価に提供することができる。
【００２８】
また、前記橙３の上部にはみかんの枝の外観を有する突出部６が設けられ、前記支持具５にはこの突出部６が係合する係合孔７と、前記橙３の側面に当接する折返し部８が形成されたことにより、支持具５から橙３が脱落することを確実に防止することができる。
【００２９】
また、前記扇４の下部には支持棒10が設けられ、前記支持具５にはこの支持棒10が挿通される第１の挿通孔11，第２の挿通孔12と、前記扇４の下面を支持する支持部13が形成されたことにより、扇４を安定した状態で飾り付けることができる。
【００３０】
また、前記支持具５は前記包装体１の頂部に接着固定されたことにより、簡単に支持具５を固定することができる。
【００３１】
また、前記支持具５には下方に延出する脚部14が設けられ、この脚部14は水引15を固定するゴム紐16によって前記包装体１の側部に固定されたことにより、支持具５の下方においても支持具５を固定して、より安定した状態で橙３と扇４を飾り付けることができる。
【００３２】
なお、本考案は上記各実施例に限定されるものではなく、本考案の思想の範囲内で変形実施が可能である。例えば、上記実施例において支持部13は上方と前方を開放したＬ字状に形成したが、上方のみを開放したコ字状に形成して、前後方向から扇を押さえるようにしてもよい。
【図面の簡単な説明】
【００３３】
【図１】本考案の実施例を示す包装お供え餅の正面斜視図である。
【図２】同上上部を拡大した正面斜視図である。
【図３】同上上部を拡大した背面斜視図である。
【図４】同上化粧箱に収容された状態を示す正面斜視図である。
【符号の説明】
【００３４】
１  包装体
３  橙
４  扇
５  支持具
６  突出部
７  係合孔
８  折返し部
10  支持棒
11  第１の挿通孔（挿通孔）
12  第２の挿通孔（挿通孔）
13  支持部
14  脚部
15  水引
16  ゴム紐
【図１】
0003115687.tif 000003
【図２】
0003115687.tif 000004
【図３】
0003115687.tif 000005
【図４】
0003115687.tif 000006